(57)【特許請求の範囲】
【請求項１】
内部に空気流路が形成された空調ケースを備えた空調ユニット本体と、この空調ユニット本体と連接されるもので、少なくとも車室内外気を導入するための複数の導入口が開口し、これらの導入口の開度割合を調整する内外気切換ドアが収納された空調ケースを備えたインテーク部とで構成され、
前記空調ユニット本体の空気流路は、送風機より風下側にて所定の吹出用開口部への空気の流通を分岐させる分岐通路の一方端側が連通し、この分岐通路の他方端側は、前記インテーク部の外気導入口の近傍部位に開口して成ると共に、
前記インテーク部の内外気切換ドアは、内気循環モード以外でも車室内からこのインテーク部内に外気導入口以外の導入口を介して車室内空気を取り込むことを可能とし、前記空気流路と分岐通路との分岐部位には、所定の吹出用開口部に送られる空気の流通と分岐通路に送られる空気の流通とを切り換えるための切換ドアが配置されたことを特徴とする車両用空調ユニット。
【請求項２】
内部に空気流路が形成され、この空気流路に送風機、冷却用熱交換器、エアミックスドア、加熱用熱交換器等の温調手段が収納された空調ケースを備えた空調ユニット本体と、この空調ユニット本体と連接されるもので、通常運転時に車室内外気を導入するための内外気導入口と換気時に車室内空気を導入するための換気用導入口とが開口し、これらの導入口の開度割合を調整する内外気切換ドアが収納されたインテーク部とで構成され、
前記空調ユニット本体の空気流路は、デフロスト吹出用開口部の近傍にて吹出用通路から分岐通路が分岐し、この分岐通路の他方端側は、前記インテーク部の外気導入口の近傍部位に開口して成ると共に、
前記インテーク部の内外気切換ドアは、換気時において車室内からこのインテーク部内に前記換気用導入口を介して車室内空気を取り込むことを可能とし、前記空気流路と分岐通路との分岐部位には、この分岐通路に送られる空気の流量を調整可能な切換ドアが配置されたことを特徴とする車両用空調ユニット。
【請求項３】
前記内外気導入口及び換気用導入口から連続する通路は同じ円の円周上に沿って集約され、前記内外気切換ドアは、前記円周に沿った面から成ると共に前記円の中心を軸心として回転可能な通路閉塞板と、この閉塞板の円周に沿った部位の切り欠きにて形成された通路連通用開口部とを有することを特徴とする請求項２に記載の車両用空調ユニット。
【請求項４】
前記分岐通路と前記インテーク部の外気導入口の近傍部位とを連続する開口部を開閉するために、開閉ドアが配置されていることを特徴とする請求項１、２又は３に記載の車両用空調ユニット。
【請求項５】
内部に空気流路が形成された空調ケースを備えた空調ユニット本体と、この空調ユニット本体と連接されるもので、少なくとも車室内外気を導入するための複数の導入口が開口し、これらの導入口の開度割合を調整する内外気切換ドアが収納された空調ケースを備えたインテーク部とで構成され、
前記空調ユニット本体の空気流路は、送風機より風下側にて所定の吹出用開口部への空気の流通を分岐させる分岐通路の一方端側が連通し、この分岐通路の他方端側は、前記インテーク部の外気導入口の近傍部位に開口して成ると共に、
前記インテーク部の内気導入口より取り込んだ車室内空気に対し、開閉手段により分岐通路への通風を可能とし、更にこの分岐通路を通って外気導入口から車室外への排出を可能としたことを特徴とする車両用空調ユニット。
【請求項６】
換気時において外気導入口より車室外へ相対的に高温化した内気を排出することを特徴とする請求項１、２、３、４又は５に記載の車両用空調ユニット。
【発明の詳細な説明】
【技術分野】
【０００１】
この発明は、例えば車両に搭載される空調ユニットを用いて車室内空気を車室外に排気することで換気を行なう構造に関するものである。
【背景技術】
【０００２】
夏季等の外気温度が相対的に高温となるときに屋外などで駐車した場合には、駐車時間の長さに比例して車室内温度が上昇する。このため、一定時間を経過した後に乗員が車両に搭乗する際に乗員が不快感を感ずるので、換気により車室内温度を下げることによりこの不快感を解消しようとする発明は既になされている（特許文献１及び２を参照。）。【０００３】
このうち、特許文献１に記載の発明を概説すると、乗員が駐車中の車両の外部から入力手段により車両に配設された窓の開放信号を入力することで、この開放信号を受けた開放手段が窓を自動的に開放し、この開放された窓から外気を車室内に流入させ、車室内換気を行なう車両用換気装置となっている。また、特許文献２に記載の発明を概説すると、空調ユニットとは別箇独立に換気装置を設け、この換気装置は車室内と車室外を導通する換気通路内に送風機を配設したものとすると共に、駐車中の車室内温度を検出する車室内温度検出手段を設け、この検出手段で検出された温度に基づいて駐車中の車室内空気を換気する車両用換気装置となっている。
【特許文献１】特開平５−２８６３５１号公報
【特許文献２】特開平８−１４２６４８号公報
【発明の開示】
【発明が解決しようとする課題】
【０００４】
しかしながら、換気のために窓開閉信号入出力装置や窓の開閉手段を必要とする特許文献１や、空調ユニットとは別箇に換気通路内に送風機を収納してなる換気装置を搭載し、更には車室内温度検出手段をも必要とする特許文献２では、車両空調装置全体の構造が複雑化し、換気に対する費用対効果が悪いと共に、近年における車両小型化に伴う車両空調用機器の搭載容積の省スペース化という要請にも十分に応えることができない。【０００５】
そこで、本発明は、既存の空調ユニットの構造を最小限度に改変することで、インテーク部におけるモード切換の一環として、車室内の相対的に高温化した空気を空調ユニット内に取り込み空気流路を流通させた後、インテーク部に還流し、外気導入口を利用して車室外に排気することを目的とするものである。
【課題を解決するための手段】
【０００６】
本発明に係る車両用空調ユニットは、内部に空気流路が形成された空調ケースを備えた空調ユニット本体と、この空調ユニット本体と連接されるもので、少なくとも車室内外気を導入するための複数の導入口が開口し、これらの導入口の開度割合を調整する内外気切換ドアが収納された空調ケースを備えたインテーク部とで構成され、前記空調ユニット本体の空気流路は、送風機より風下側にて所定の吹出用開口部への空気の流通を分岐させる分岐通路の一方端側が連通し、この分岐通路の他方端側は、前記インテーク部の外気導入口の近傍部位に開口して成ると共に、前記インテーク部の内外気切換ドアは、内気循環モード以外でも車室内からこのインテーク部内に外気導入口以外の導入口を介して車室内空気を取り込むことを可能とし、前記空気流路と分岐通路との分岐部位には、所定の吹出用開口部に送られる空気の流通と分岐通路に送られる空気の流通とを切り換えるための切換ドアが配置されたことを特徴とするものである（請求項１）。空調ユニット本体とインテーク部との関係は、例えば縦型センター置きタイプに限らず、インテーク部を送風機や内外気切換ドア、内外気等の導入口が開口したものとし、このインテーク部と空調ユニット本体とが車両幅方向に並設されたオフセット置きタイプでも良い。複数の導入口は、内気導入口と外気導入口と換気用導入口との３つの場合に限らず、換気用導入口を兼ねる内気導入口と外気導入口との２つであっても良い。所定の吹出用開口部とは、デフロスト吹出用開口部を基本とするが、分岐通路の空気流路からの分岐位置によっては、他のベント吹出用開口部、フット吹出用開口部も含まれる。【０００７】
本発明に係る車両用空調ユニットとしては、内部に空気流路が形成され、この空気流路に送風機、冷却用熱交換器、エアミックスドア、加熱用熱交換器等の温調手段が収納された空調ケースを備えた空調ユニット本体と、この空調ユニット本体と連接されるもので、通常運転時に車室内外気を導入するための内外気導入口と換気時に車室内空気を導入するための換気用導入口とが開口し、これらの導入口の開度割合を調整する内外気切換ドアが収納されたインテーク部とで構成され、前記空調ユニット本体の空気流路は、デフロスト吹出用開口部の近傍にて吹出用通路から分岐通路が分岐し、この分岐通路の他方端側は、前記インテーク部の外気導入口の近傍部位に開口して成ると共に、前記インテーク部の内外気切換ドアは、換気時において車室内からこのインテーク部内に前記換気用導入口を介して車室内空気を取り込むことを可能とし、前記空気流路と分岐通路との分岐部位には、この分岐通路に送られる空気の流量を調整可能な切換ドアが配置されたことを特徴とするものがある（請求項２）。【０００８】
この請求項２に記載の車両用空調ユニットにあっては、前記内外気導入口及び換気用導入口から連続する通路は同じ円の円周上に沿って集約され、前記内外気切換ドアは、前記円周に沿った面から成ると共に前記円の中心を軸心として回転可能な通路閉塞板と、この閉塞板の円周に沿った部位の切り欠きにて形成された通路連通用開口部とを有することを特徴とするものである（請求項３）。【０００９】
そして、前記分岐通路と前記インテーク部の外気導入口の近傍部位とを連続する開口部を開閉するために、開閉ドアが配置されているものとしても良い（請求項４）。すなわち、本発明に係る車両用空調ユニットとしては、内部に空気流路が形成された空調ケースを備えた空調ユニット本体と、この空調ユニット本体と連接されるもので、少なくとも車室内外気を導入するための複数の導入口が開口し、これらの導入口の開度割合を調整する内外気切換ドアが収納された空調ケースを備えたインテーク部とで構成され、前記空調ユニット本体の空気流路は、送風機より風下側にて所定の吹出用開口部への空気の流通を分岐させる分岐通路の一方端側が連通し、この分岐通路の他方端側は、前記インテーク部の外気導入口の近傍部位に開口して成ると共に、前記インテーク部の内気導入口より取り込んだ車室内空気に対し、開閉手段により分岐通路への通風を可能とし、更にこの分岐通路を通って外気導入口から車室外への排出を可能としたことを特徴とするものとしても良い（請求項５）。【００１０】
更には、換気時において外気導入口より車室外へ相対的に高温化した内気を排出するものとしても良い（請求項６）。
【発明の効果】
【００１１】
この発明によれば、インテーク部における換気モードとして、外気導入口以外の導入口からインテーク部内に相対的に高温化した内気を取り込み、この内気を車室内の空調ユニット本体の空気流路のうち少なくとも送風機よりも下流側まで案内した後、当該空気流路から所定の吹出用開口部よりも上流側で分岐した分岐通路を通してインテーク部の外気導入口近傍部位にまで還流することで、この外気導入口に排気機能を持たせて車室外に相対的に高温化した内気を排出することができる。【００１２】
このため、車室内の高温化した内気を排気するために専用の送風機や排気口等を設ける必要がなく、車両用空調ユニットに対して行なう改変も相対的に小さく、当該空調ユニットの大型化を招かないので、製造コストの抑制並びに近年における車両のコンパクト化の要請に応えることができる。また、換気時に車室内の内気を車室外に排気しているため、乗員に高温の空気が直接に当たることがないので、排気時の乗員の不快感を低減することができる。更には、この換気により乗車時の車室内温度が相対的に低下するので、空調稼働時の効率が向上すると共に、車室内の快適温度への到達時間が早くなるので早期における乗員の快適性の確保に加え空調稼働時間が短縮するため省動力化を図ることもできる。そして、換気時に空調ユニット内部を通過させた空気を排出するので、エアコン起動時に熱気を車室内に排出する必要がなくなり快適性が向上する。【００１３】
特に請求項２に記載の発明によれば、近年において主流化したセンター一体型型の車両用空調ユニットにおいても、当該空調ユニットの構造を利用して車室内の高温化した空気を車室外に外気導入口から排気することができ、車室内空気の換気を簡易な構造改変で行なうことが可能である。そして、駐車時における車室内の温度上昇が大きい部位がインストルメントパネル内部の特にその上方であるところ、換気用導入口をこのインストルメントパネル内部の上方に開口させることにより、最も高温化した車室内空気を優先的に車室外に排気することができる。このため、乗車時の車室内温度がより一層低下するので、空調稼働時の効率が向上すると共に、車室内の快適温度への到達時間が更に早くなるので迅速な乗員の快適性の確保を可能とすると共に空調稼働時間がより短縮化するため省動力化を一層効果的に図ることもできる。【００１４】
特に請求項３に記載の発明によれば、内外気切換ドアを、フレッシュモード、内気循環モード、換気モードと、インテーク部におけるモード設定に応じて、適宜回転させることにより、この内外気切換ドアの開口部とそのモード時での所望の導入口から連続する通路のみとが対向状態となって両者が連通し、他の導入口から連続する通路は内外気切換ドアの閉塞板により閉塞状態にある。これに伴い、所望の導入口から取り入れられた空気が内外気切換ドアの開口部からインテーク部と空調ユニット本体とを連通する空気取入口を介して送風機に送られる。このため、この内外気切換ドアの構造によれば、内外気切換モードのための制御を従来と同様に行いつつ新たに加えられた換気モードの制御も行なうことができる。【００１５】
特に請求項４に記載の発明によれば、デフロスト吹出用開口部の開閉と分岐通路の開閉とを一の切換ドア制御で行なう場合には、デフロスト吹出用開口部を全部又は一部閉じるときでは、換気モードでないにも関わらず、分岐通路に空気が流れ込むところ、この開閉ドア若しくは開閉手段により当該分岐通路に送られた空気が外気導入口に連続する通路にまで流れるのを防止することができる。【００１６】
特に請求項６に記載の発明によれば、換気時において、内気導入口より車室内に取り込んだ空気について、分岐通路を介して外気導入口から車室外に排気することができる。
【図面の簡単な説明】
【００１７】
【図１】図１は、この発明に係る調ユニットにあって、通常の空調モード時の状態を示す断面図である。
【図２】図２（Ａ）は、同上の空調ユニットにあって、換気モード時の状態を示す断面図であり、図２（Ｂ）は、同上の空調ユニットの換気モード時の空気の流通を平面図的に示すものである。
【図３】図３（Ａ）及び図３（Ｂ）は、同上の空調ユニットのインテークボックスのフレッシュモードにおける内外気切換ドアの開口位置、サブ切換ドアの開閉度及び空気の流通を示す説明図である。
【図４】図４（Ａ）及び図４（Ｂ）は、同上の空調ユニットのインテークボックスの内気循環モードにおける内外気切換ドアの開口位置、サブ切換ドアの開閉度及び空気の流通を示す説明図である。
【図５】図５（Ａ）及び図４（Ｂ）は、同上の空調ユニットのインテークボックスの換気モードにおける内外気切換ドアの開口位置、サブ切換ドアの開閉度及び空気の流通を示す説明図である。
【図６】図６は、この空調ユニットに用いられる内外気切換ドアの構成を示す斜視図である。
【符号の説明】
【００１８】
１  車両用空調ユニット
２  インテーク部
３  空調ユニット本体
４  空気流路
５  空調ケース
６  送風機
７  冷却用熱交換器
９  加熱用熱交換器
１０  エアミックスドア
１４  デフロスト吹出用開口部
１５  ベント吹出用開口部
１６  フット吹出用開口部
１７  エアガイド壁
１９  モード切換ドア
２１  外気導入口
２２  内気導入口
２４  吹出用通路
２５  内外気切換ドア
２６  通路
２７  通路
２９  換気用導入口
３０  通路
３１  通路閉塞板
３２  通路連通用開口部
３５  分岐通路
３６  開口部
３７  開閉ドア
【発明を実施するための最良の形態】
【００１９】
以下、この発明の実施形態を図面により説明する。【００２０】
図１及び図２に示される空調ユニット１は、この発明の実施形態の一例で、例えば車両のセンターコンソール部に搭載される縦型センター置きタイプのものである。この空調ユニット１は、エンジンルームと車室とを区画する仕切板よりも車室側に配されているもので、インテーク部２と空調ユニット本体３とで基本的に構成されている。【００２１】
このうち、空調ユニット本体３は、内部に空気流路４が形成された空調ケース５内に、インテーク部２から空気を下流側に送るための送風機６、送風機６により送られてきた空気を冷却するエバポレータ等の冷却用熱交換器７、冷却用熱交換器７の風上側に配置されたフィルタ８、前記冷却用熱交換器７で冷却された空気を再加熱するヒータコア等の加熱用熱交換器９、及び冷却用熱交換器７と加熱用熱交換器９との間に配置されて加熱用熱交換器９に送られる空気とバイパスする空気との割合を調整するエアミックスドア１０を前記空気流路４に沿って配置するように収納している。フィルタ８及び冷却用熱交換器７は、空気流路４内において導入される全ての空気が通過するように立設されている。【００２２】
また、空調ユニット本体３は、空調ケース５内に、加熱用熱交換器９に対し下流側となる車両進行方向前方側にて、前記空気流路４の一部として前記加熱用熱交換器９で再加熱された空気が通過する温風通路１１が形成されていると共に、冷却用熱交換器７の下流側からエアミックスドア１０の回転軸に対しやや斜め上方にかけて前記空気流路４の一部として冷風通路１２が形成されている。尚、エアミックスドア１０は、加熱用熱交換器９の頂部側に配置された回転軸１０Ａと、この回転軸１０Ａから径方向に延びる２つのドア本体１０Ｂとで構成されたバタフライ式のものである。【００２３】
そして、空調ユニット本体３の温風通路１１と冷風通路１２とが合流するエアミックスチャンバ１３よりも下流側において、デフロスト吹出用開口部１４、ベント吹出用開口部１５、フット吹出用開口部１６が、空調ケース５に適宜開口している。尚、ベント吹出用開口部１５よりも風下側において図示しないがサイドベント吹出用開口部を空調ケース５に対し所定の位置で開口させても良い。また、これらの実施形態では、加熱用熱交換器９の下流側からフット吹出用開口部１６まで空気を案内するエアガイド壁１７が形成されている。【００２４】
エアミックスドア１０及びエアガイド壁１７の上端部よりも車両上方となるエアミックスチャンバ１３領域において吹出モード切換ドア１８が揺動可能に配置されている。この吹出モード切換ドア１８は、少なくともデフロスト吹出用開口部１４、ベント吹出用開口部１５に向う空気量とフット吹出用開口部１６に向う空気量とを調整するためのもので、デフロスト吹出用開口部１４及びベント吹出用開口部１５に向う空気量が零となる位置から、フット吹出用開口部１６に向う空気量が零となる位置までの範囲で回動する。尚、吹出モード切換ドア１８は、この実施形態では、回転軸１８Ａと、この回転軸１８Ａの回転に従って円弧状に移動する曲面状の閉塞板１８Ｂとを少なくとも有するロータリー式のものである。【００２５】
デフロスト吹出用開口部１４及びベント吹出用開口部１５は、その開口部周縁に当該開口部１４、１５を適宜開閉する吹出モード切換ドア１９、２０が揺動可能に配置されている。吹出モード切換ドア１９、２０は、回転軸１９Ａ、２０Ａと、この回転軸１９Ａ、２０Ａから径方向に延びる１のドア本体１９Ｂ、２０Ｂとからなるフラッグ式のものである。そして、エアミックスチャンバ１３からベント吹出用開口部１５を経てデフロスト吹出用開口部１４に至る吹出用通路２４が空気流路４の最下流として画成されている。【００２６】
これに対し、インテーク部２は、空調ユニット本体３に対し車両幅方向に沿って左右のいずれか一方に配置されているもので、空調ケース５に形成された空気取入口（図示せず）を介して空調ユニット本体３と連通しており、この空気取入口は、送風機６のファンの空気取入口と対峙している。【００２７】
また、インテーク部２は、外気導入口２１と内気導入口２２とが空調ケース５に開口し、各導入口２１、２２は空調ケース５に形成された空気取入口に向かって延びる通路２６、２７を有している。このうち、外気導入口２１は、車両進行方向の前方に対し略対峙した状態で開口し、内気導入口２２は、車両進行方向の前方に対し若干下方に向いて開口していると共に、外気導入口２１が内気導入口２２に対し車両の上側に並設されている。そして、フレッシュ（ＦＲＥＳＨ）モードと内気循環（ＲＥＣ）モードとのモード切換制御は、後述するロータリー式の内外気切換ドア２５を適宜回動することにより行なう。【００２８】
以上の構成において、通常運転時では、送風機６から送られる空気は、フィルタ８を通過して冷却用熱交換器７の風上側に至り、この冷却用熱交換器７を通過する際に冷却され、エアミックスドア１０の開度に応じて加熱用熱交換器９を通過する空気とバイパスする空気との割合が調整され、エアミックスドア１０の風下側となるエアミックスチャンバ１３において適宜混合された後に吹出モードに応じて開放された吹出用開口部１４、１５、１６のいずれかを介して吹出口から吹き出される。【００２９】
ところで、インテーク部２は、この実施形態では、外気導入口２１、内気導入口２２の他に換気用導入口２９が空調ケース５に開口している。この換気用導入口２９は、図示しないインストルメントパネル内部の特に上方部位と対峙しものとなっている。そして、この換気用導入口２９は、空調ケース５に形成された送風機６の空気取入口側に向かって延びる通路３０と連続している。そして、外気導入口２１から連続する通路２６と、内気導入口２２から連続する通路２７と、換気用導入口２９から連続する通路３０とは、前記導入口と反対側の開口端の周縁が同一円の円周上に沿うように集約されている。尚、各通路２６、２７、３０の開口端週縁の同一円の円周上に占める割合は、内外気切換ドア２５の後述する通路連通用開口部３２との関係で同じであり、この実施形態では例えば４分の１ずつの割合である。【００３０】
このインテーク部２に収納される内外気切換ドア２５は、図６に示されるように、各通路２６、２７、３０の開口端が集約された円の円周と略同一の径寸法であると共に当該円の略４分の３である曲面状の通路閉塞板３１と、この閉塞板３１の円周の切り欠きにて形成された通路連通用開口部３２とから構成されている。そして、内外気切換ドア２５は、少なくともその軸方向の一方側が、送風機６の吸入口に空気を送り込むべく開口部３３となっている。また、内外気切換ドア２５は、少なくとも内外気切換ドア２５の開口部３３と反対側において、内外気切換ドア２５を回転するための回転軸が挿着される軸受部３４を有していても良い。【００３１】
そして、空調ユニット本体２は、吹出用通路２４のデフロスト吹出用開口部１４の近傍部位で分岐した分岐通路３５を有している。この分岐通路３５へ送られる空気とデフロスト吹出用開口部１４へ送られる空気との切換は、切換ドア１９の開閉動作により行われる。そして、分岐通路３５の吹出用通路２４に対し反対側となる端部は、外気導入口２１から連続する通路２６に開口した開口部３６が形成されている。そして、この実施形態では、分岐通路３５内にこの分岐通路３５を通過してきた空気を通路２６に送る量を調整するための開閉ドア３７が配置されている。開閉ドア３７は、この実施形態では、ドア本体３７Ａと回転軸３７Ｂとからなるフラッグ式のものとなっている。もっとも、この開閉ドア３７は、内外気切換ドア２５の回転の妨げとならない場合には、外気導入口から連続する通路２６内に配置されたものとしても良い。【００３２】
以上の構成とすることで、フレッシュモードにおいては、図３に示されるように、内外気切換ドア２５が外気導入口２１と連続する通路２６と通路連通用開口部３２とが連通する位置に回動し、開閉ドア３７は開口部３６を閉塞した状態におかれる。すなわち、内気導入口２２、換気用導入口２９は、各々の通路２７、３０の開口端が内外気切換ドア２５の閉塞板３１の側周面により閉塞される。このため、外気導入口２１より取り込まれた外気は、通路２６から内外気切換ドア２５内を通過して送風機６に送られ、更に送風機６より下流の冷却用熱交換器７等を通過し、選択された吹出用開口部を介して吹出口から車室内に吹き出される。【００３３】
また、内気循環モードにおいては、図４に示されるように、内外気切換ドア２５が内気導入口２２と連続する通路２７と通路連通用開口部３２とが連通する位置に回動し、開閉ドア３７は開口部３６を閉塞した状態におかれる。すなわち、外気導入口２１、換気用導入口２９は、各々の通路２６、３０の開口端が内外気切換ドア２５の閉塞板３１の側周面により閉塞される。このため、内気導入口２２より取り込まれた内気は、通路２７から内外気切換ドア２５内を通過して送風機６に送られ、更に送風機６より下流の冷却用熱交換器７等を通過し、選択された吹出用開口部を介して吹出口から車室内に吹き出される。【００３４】
これに対し、換気モードにおいては、図５に示されるように、内外気切換ドア２５が換気用導入口２９と連続する通路３０と通路連通用開口部３２とが連通する位置に回動し、開閉ドア３７は開口部３６を開放した状態におかれる。すなわち、外気導入口２１、内気導入口２２は、各々の通路２６、２７の開口端が内外気切換ドア２５の閉塞板３１の側周面により閉塞される。そして、エアミックスドア１０は、図１（Ａ）に示されるように、ヒータコア９を通過することで生ずる通気抵抗の増大を回避するために、その開度がヒータコア９をバイパスするフルクールとなる位置（開度０％）に置かれる。また、切換ドア１８、１９、２０は、その開度が各吹出口への内気の吹き出しを回避すべく開度０％の位置に置かれる。【００３５】
このため、換気用導入口２９より取り込まれた内気は、通路３０から内外気切換ドア２５内を通過して送風機６に送られ、更に送風機６より下流側の冷却用熱交換器７等を通過し、最下流側となる吹出用通路２４を途中まで経由した後、分岐通路３５側に流れ、更に分岐通路３５の開口部３６から外気導入口に連続する通路２６に流れ込んで、外気導入口２１から車室外に排出される。しかるに、換気用導入口２９は、車両内部で温度上昇率の高いインストルメントパネル内部の特に上方部位と対峙して開口しているので、当該部位の特に高温化した内気を積極的に車室外に排出することができる。よって、車室内の温度の下降が相対的に早くなり、送風機６の換気のための駆動時間も短くなる等して送風機６の省動力化を図ることもできる。【００３６】
尚、上記実施形態では、換気モード用として専用の換気用導入口２９を設けているが、必ずしもこれに限定されず、内気導入口２２が上述の換気用導入口の機能を兼ねることのできる構造であれば、内気導入口２２と外気導入口２１との２つの導入口が開口したものとしても良い。これにより、空調ユニット１に加える改変がより少なくなる。【００３７】
また、吹出用通路２４から分岐通路３５への空気流入を調整するためと分岐通路３５から外気導入口２１に連続する通路２６への空気流入を調整するために、これまで説明したように、各々ドア１９、３７を用いるものとする他に、例えば通常運転モードにおいても分岐通路３５から外気導入口２１に連続する通路２６へ空気が流入するのを回避できれば、開閉ドア３７を省略して、空調ユニット１全体の構造の簡素化を図ることができる。【００３８】
更に、この発明では、換気用の空気が吹出用通路２４から分岐通路３５を経てインテーク部２の外気導入口２１と連続する通路２６へ流通する構造としているが、必ずしもこれに限定されず、送風機６より風下側となる部位からインテーク部２の外気導入口２１と連続する通路２６へ流通する構造であれば良い。【００３９】
更にまた、換気モード時においてフット吹出用開口部１６、デフロスト吹出用開口部１４、ベント吹出用開口部１５の全てを全閉とすると説明したが、デフロスト吹出用開口部１４とベント吹出用開口部１５とは開放して、車室内部の温度を均一化する目的でこの空調ユニット１を利用することも可能である。【００４０】
そして、空調ユニット１について、車両のセンターコンソール部に搭載される縦型センター置きタイプのものとして図示し説明してきたが必ずしもこれに限定されず、ブロワユニット部と空調ユニット本体とが車両の幅方向に沿ってオフセット状態で設置される従来のタイプでも、本願発明の構造は展開可能である。
【図１】
0004538815.tif 000002
【図２】
0004538815.tif 000003
【図３】
0004538815.tif 000004
【図４】
0004538815.tif 000005
【図５】
0004538815.tif 000006
【図６】
0004538815.tif 000007